(57)【特許請求の範囲】
【請求項１】
センサユニット（６１）と、第１の導光部品（６２）と、カメラ（６３）とを備え、前記センサユニット（６１）が発光部（６１１）と受光部（６１２）とを備え、前記発光部（６１１）がプローブ光を発するように構成され、前記第１の導光部品（６２）が前記プローブ光を導入して該プローブ光を前記カメラ（６３）のレンズ（６３１）を通じて外部に伝送するように構成され、前記受光部（６１２）が前記カメラ（６３）のレンズ（６３１）を通じて検出光を受光するように構成され、前記検出光がプローブ光の反射によって形成され、
前記カメラ（６３）は外部画像信号を収集するように構成される機能アセンブリ（６０）。
【請求項２】
前記第１の導光部品（６２）が前記発光部（６１１）と前記カメラ（６３）との間に位置され、前記第１の導光部品（６２）の導光面が前記カメラ（６３）の導光面と平行であり、前記発光部（６１１）の発光面が前記第１の導光部品（６２）の入光面に面する請求項１に記載の機能アセンブリ（６０）。
【請求項３】
前記受光部（６１２）が前記レンズ（６３１）の下方に位置される、請求項２に記載の機能アセンブリ（６０）。
【請求項４】
前記カメラ（６３）がベース（６３２）を更に備え、前記レンズ（６３１）の側壁が前記ベース（６３２）の第１の端部に接続され、前記ベース（６３２）の第２の端部が端末の回路基板（３０）に接続される請求項３に記載の機能アセンブリ（６０）。
【請求項５】
前記機能アセンブリ（６０）が第２の導光部品（６４）を更に備え、前記第２の導光部品（６４）は、前記カメラ（６３）に入射する前記検出光を前記受光部（６１２）へと導くように構成される、請求項２に記載の機能アセンブリ（６０）。
【請求項６】
前記第２の導光部品（６４）が前記受光部（６１２）と前記カメラ（６３）との間に位置され、前記第２の導光部品（６４）の入光面が前記カメラ（６３）の入光面と平行であり、前記受光部（６１２）の入光面が前記第２の導光部品（６４）の導光面に面する請求項５に記載の機能アセンブリ（６０）。
【請求項７】
前記受光部（６１２）と前記発光部（６１１）とが離間され、前記受光部（６１２）と前記発光部（６１１）との間の間隔が６ｍｍ〜１４ｍｍである、請求項１から６のいずれか一項に記載の機能アセンブリ（６０）。
【請求項８】
前記第１の導光部品（６２）は、前記カメラ（６３）に入射する前記プローブ光を前記受光部（６１２）へと導くように更に構成される、請求項１に記載の機能アセンブリ（６０）。
【請求項９】
前記第１の導光部品（６２）が前記センサユニット（６１）と前記カメラ（６３）との間に位置され、前記第１の導光部品（６２）の導光面が前記カメラ（６３）の導光面と平行であり、前記発光部（６１１）の発光面及び前記受光部（６１２）の入光面がいずれも前記第１の導光部品（６２）の入光面に面する請求項８に記載の機能アセンブリ（６０）。
【請求項１０】
前記センサユニット（６１）が周辺光センサ（６１３）を更に備える請求項１から９のいずれか一項に記載の機能アセンブリ（６０）。
【請求項１１】
前記第１の導光部品（６２）が三角プリズムである請求項１から１０のいずれか一項に記載の機能アセンブリ（６０）。
【請求項１２】
表示スクリーンと機能アセンブリ（６０）とを備え、前記表示スクリーンが機能領域（２３）を備え、前記機能領域（２３）内に前記カメラ（６３）が設けられ、前記機能アセンブリ（６０）が請求項１から１１のいずれか一項に記載の前記機能アセンブリ（６０）である、表示装置。
【請求項１３】
前記機能領域（２３）が穴であり、前記カメラ（６３）が前記穴内に設けられる、請求項１２に記載の表示装置。
【請求項１４】
前記センサユニット（６１）と前記機能領域（２３）とが千鳥状に位置され、前記発光部（６１１）により発せられるプローブ光が前記第１の導光部品（６２）を介して前記機能領域（２３）に伝送された後に放射される請求項１２又は１３に記載の表示装置。
【請求項１５】
回路基板（３０）、機能アセンブリ（６０）、及び、ケーシング（４０）を備え、前記回路基板（３０）が前記ケーシング（４０）に実装され、前記機能アセンブリ（６０）が前記回路基板（３０）に接続され、前記機能アセンブリ（６０）が請求項１から１１のいずれか一項に記載の前記機能アセンブリ（６０）である、端末。
【発明の詳細な説明】
【技術分野】
【０００１】
本開示は、通信技術の分野に関し、特に、機能アセンブリ、表示装置、及び端末に関する。
【背景技術】
【０００２】
端末の継続的な開発に伴い、表示領域の面積を増大させるために、端末のスクリーンサイズが連続的に拡大される。
【０００３】
端末には、通常、表示領域が設けられ、表示領域は、画像及び文字を表示するなどの表示機能を有する。また、端末には非表示領域が更に設けられ、該非表示領域は、主に、撮影機能又はユーザ認識機能などの表示機能以外の他の機能を実現するために用いられる。表示スクリーン内に非表示領域が存在するため、表示領域の面積の更なる拡大が制限される。したがって、表示領域の面積の拡大が端末の分野において研究のホットスポットとなっている。
【発明の概要】
【発明が解決しようとする課題】
【０００４】
端末が端末と他の機能アセンブリとを含む場合、端末のサイズ及び厚さは、各ユニットのサイズ及び厚さに起因して増大され得る。
【０００５】
本開示の実施形態は、大スクリーン表示の効果を実現するために、機能アセンブリ、表示装置、及び端末を提供する。
【課題を解決するための手段】
【０００６】
付加的な態様は、以下の説明に部分的に記載され、また、部分的には、その説明から明らかになり、或いは、与えられる典型的な実施形態の実施によって習得され得る。
【０００７】
本開示の実施形態は、センサユニットと、第１の導光部品と、カメラとを含む機能アセンブリを提供する。センサユニットは、発光部と受光部とを含む。発光部はプローブ光を発するように構成される。第１の導光部品は、プローブ光を導入して該プローブ光をカメラを通じて外部に伝送するように構成される。受光部は、カメラを通じて検出光を受光するように構成され、検出光は、障害物に対するプローブ光の反射によって形成される。
【０００８】
本開示の実施形態は、表示スクリーンと前述の機能アセンブリとを含む表示装置を提供する。表示スクリーンは機能領域を含み、また、カメラは機能領域に設けられる。
【０００９】
本開示の実施形態は、回路基板と、前述の機能アセンブリと、ケーシングとを含む端末を提供する。回路基板はケーシングに実装され、機能アセンブリは回路基板に接続される。
【００１０】
本開示の実施形態で提供される機能アセンブリ、表示装置、及び端末では、カメラが機能穴を兼ね、それにより、機能領域のサイズが減少され、すなわち、非表示領域の面積が減少され、表示領域の面積が効果的に拡大され、そのため、大スクリーン表示の効果が実現される。
【００１１】
本開示の実施形態における技術的解決策をより明確に詳述するために、実施形態の説明で使用される図面が以下に例示される。無論、以下で例示されるべき図面は、単に本開示の幾つかの実施形態を表わすにすぎず、また、創造的努力をすることなくこれらの図面にしたがって他の図面を当業者により得ることができる。
【００１２】
本開示及びその利点のより完全な理解のため、以下の説明は、同様の参照番号が同様の部分を表わす添付図面に関連してなされる。
【図面の簡単な説明】
【００１３】
【図１】本開示の実施形態で提供される端末の第１の正面図である。
【図２】本開示の実施形態で提供される端末の第２の正面図である。
【図３】本開示の実施形態で提供される端末の分解図である。
【図４】本開示の実施形態で提供される機能アセンブリの第１の概略図である。
【図５】本開示の実施形態で提供される機能アセンブリの第２の概略図である。
【図６】本開示の実施形態で提供される機能アセンブリの第３の概略図である。
【図７】本開示の実施形態で提供される機能アセンブリの第４の概略図である。
【図８】本開示の実施形態で提供される機能アセンブリの第５の概略図である。
【図９】本開示の実施形態で提供される機能アセンブリの第６の概略図である。
【図１０】本開示の実施形態で提供される機能アセンブリの第７の概略図である。
【図１１】本開示の実施形態で提供される機能アセンブリの第８の概略図である。
【図１２】本開示の実施形態で提供される機能アセンブリの第９の概略図である。
【発明を実施するための形態】
【００１４】
以下の詳細な説明に進む前に、この特許文書の全体を通して使用される特定の単語及び表現の定義を記載することが有利となり得る。「含む」及び「備える」という用語並びにそれらの派生語は、限定を伴うことなく包括を意味する。「又は」という用語は包括的であり、及び／又はを意味し、「〜と関連する」及び「それと関連する」という表現並びにそれらの派生語は、含む、〜内に含まれる、〜と相互接続する、包含する、〜内に包含される、〜に接続する又は〜と接続する、〜に結合する又は〜と結合する、〜と通信可能である、〜と協働する、インターリーブする、並置する、〜に近接する、〜に拘束される又は〜と拘束される、有する、〜の特性を有する、又は、同様のことを意味することができ、また、「コントローラ」という用語は、少なくとも１つの動作を制御する任意の装置、システム、又は、その一部を意味し、また、そのような装置は、ハードウェア、ファームウェア、又は、ソフトウェア、或いは、それらの少なくとも２つの幾つかの組合せで実装され得る。局所的であろうと遠隔的であろうと、任意の特定のコントローラと関連する機能を集中させる又は分散させることができることに留意すべきである。特定の単語及び表現の定義がこの特許文書全体にわたって与えられているが、当業者であれば分かるように、多くの場合、殆どの場合でないにせよ、そのような定義は、そのような定義された単語及び表現の従前の及び将来の使用に当てはまる。
【００１５】
本開示の実施形態における技術的解決策は、本開示の実施形態において添付図面と併せて明確に且つ完全に説明される。明らかに、記載される実施形態は、全ての実施形態ではなく本開示の実施形態の一部にすぎない。創造的努力を伴うことなく当業者により得られる他の実施形態の全ては、本開示の実施形態に基づき、本開示の保護範囲に属する。
【００１６】
明細書、特許請求の範囲、及び、添付図面における用語「第１」、「第２」、「第３」、及び、同様のもの（存在する場合）は、特定の順序又は優先順位を表わしているのではなく類似の対象を区別するために使用される。記載された対象が任意の適切な状況で交換され得ることが理解されるべきである。加えて、「含む」及び「有する」という用語並びにそれらの任意の変形は、非排他的包含物を網羅しようとするものである。
【００１７】
以下で論じられる図１〜図１２、及び、この特許文書で本開示の原理を説明するために使用される様々な実施形態は、単なる例示であり、本開示の範囲を限定するように解釈されるべきではない。当業者であれば分かるように、本開示の原理は、任意の適切に配置された装置において実施され得る。典型的な実施形態を詳細に説明するとともに、これらの実施形態の例を添付図面に示す。また、本発明の実施形態に係る端末を添付図面に関連して詳しく説明する。図面中の同様の参照番号は同様の要素を示す。
【００１８】
「第１」、「第２」等のような用語を様々な構成要素を説明するために使用できるが、そのような構成要素は、上記の用語に限定されてはならない。上記の用語は、ある構成要素を他の構成要素から区別するためだけに使用される。例えば、典型的な実施形態の範囲から逸脱することなく、第１の要素を第２の要素と称することができ、同様に、第２の要素を第１の要素と称することができる。本明細書中で使用される用語「及び／又は」は、列挙された関連項目のうちの１つ以上の任意の全ての組合せを含む。
【００１９】
本明細書中で使用される用語は、特定の実施形態を説明するために使用されているにすぎず、発明の概念を限定しようとするものではない。単数形で使用される表現は、それが文脈において明らかに異なる意味を有していなければ、複数形での表現を包含する。本明細書中において、「含んでいる」、「有している」、及び、「備えている」などの用語が、本明細書中に開示される特徴、数、ステップ、動作、構成要素、部分、又は、それらの組合せの存在を示すように意図されているとともに、１つ以上の他の特徴、数、ステップ、動作、構成要素、部分、又は、それらの組合せが存在し得る又は付加され得る可能性を排除するように意図されていないことが理解されるべきである。図面中の同様の参照番号は同様の要素を示す。
【００２０】
図１は、本開示の典型的な実施形態に係る端末１００の正面図を示す。図２は、本開示の他の例示的な実施形態に係る端末１００の正面図を示す。図１及び図２は、端末１００の実施形態としてのスマートフォンを示す。しかしながら、タブレットＰＣ、ノートＰＣ、ＰＤＡ等の表示スクリーン２０を含む任意の端末を本実施形態として使用することもできる。
【００２１】
図１に示されるように、例示的な実施形態に係る端末１００は、表示スクリーン２０、機能アセンブリ６０、及び、ケーシング４０を含む。表示スクリーン２０及び機能アセンブリ６０は、ケーシング４０内に収容され得る。
【００２２】
表示スクリーン２０は、電子ファイルを表示するように構成される。表示スクリーン２０は、画像、ビデオ、及び、テクストなどの情報を表示することができる。表示スクリーン２０は、情報を表示するための前面と、前面の反対側に位置される後面とを含むことができる。
【００２３】
機能アセンブリ６０は、表示機能を実行するのではなく他の機能を実行するユニットとなり得る。例えば、機能アセンブリ６０は、信号を発信するとともに外部から信号を受信するように構成されるセンサユニットと、第１の導光部品と、外部画像信号を収集するように構成されるカメラとを含む。センサユニットの実施形態は、カメラユニット、指紋センサ、近接センサ及び赤外線センサを含むことができる。
【００２４】
幾つかの実施形態において、図１に示されるように、機能アセンブリ６０は、前方を向くように端末１００の上端に設けられ得る。幾つかの実施形態において、図２に示されるように、機能アセンブリ６０は、前方を向くように端末１００の下端に設けられ得る。
【００２５】
幾つかの実施形態では、機能アセンブリ６０の少なくとも一部を表示スクリーン２０に挿入することができ、また、部材を表示スクリーン２０の後側に設けることができる。このように、端末１００は機能アセンブリ６０を含むが、機能アセンブリ６０の機能を実現するべく表示スクリーン２０のために別に非表示領域を設ける必要はなく、それにより、表示スクリーン２０における表示領域の割合を増大させることができ、したがって、大スクリーン表示の効果を実現できる。本明細書中で使用される「前」という用語は、情報を表示するための表示スクリーン２０の側が向く方向を指し、また、「後」という用語は、「前」とは反対の方向を指す。
【００２６】
ケーシング４０は、組み立てることができる単一の部材又は複数の部材を含むことができる。ケーシング４０は、プラスチック材料、セラミック材料、及び、金属材料のうちの少なくとも１つを含むことができる。
【００２７】
一実施形態に係る端末１００では、機能アセンブリ６０の少なくとも一部を表示スクリーン２０に挿入することができ、また、部材を表示スクリーン２０の後側に設けることができる。
【００２８】
図３は端末１００の分解図を示す。
【００２９】
図３に示されるように、端末１００は、カバープレート１０、表示スクリーン２０、プリント回路基板３０、及び、ケーシング４０を含むことができる。端末１００は、電池５０を更に含むことができる。表示スクリーン２０は、フレキシブルプリント回路を介してプリント回路基板３０に電気的に接続され得る。
【００３０】
カバープレート１０を表示スクリーン２０の前方に設けることができる。カバープレート１０は、表示スクリーン２０の前面を保護して、表示スクリーン２０に表示される情報を外部に露出させることができる。
【００３１】
カバープレート１０は、表示スクリーン２０によって表示される情報を露出させるための露出領域１１と、外部の視界を遮断するための非露出領域１２とを含むことができる。非露出領域１２は、黒色の下敷きなどの遮光層を含むことができ、それにより、端末１００の内部が見えない。幾つかの実施形態では、遮光層がインク層である。
【００３２】
表示スクリーン２０は、情報を表示するように構成される表示領域２１と、情報を表示しない非表示領域２２とを含むことができる。表示領域２１は、情報の大部分を表示するために表示スクリーン２０の主表示領域としての機能を果たすことができる。非表示領域２２は、表示領域２１の外側に設けることができる。非表示領域２２にはＩＣ（集積回路）を設けることができ、また、ＩＣは、表示スクリーン２０の情報表示を制御するように構成される。
【００３３】
表示スクリーン２０の非表示領域２２を視界から隠すようにカバープレート１０の非露出領域１２を表示スクリーン２０の非表示領域２２の前に設けることができる。
【００３４】
表示スクリーン２０は機能領域２３を含むことができ、また、機能アセンブリ６０の少なくとも一部を機能領域２３に挿入することができる。機能領域２３を穴として形成することができるが、実施形態はこれに限定されない。機能領域２３の形状は、円弧、丸みを帯びた長方形、丸みを帯びた正方形などであってもよい。
【００３５】
機能領域２３を表示スクリーン２０の表示領域２１に形成することができる。
【００３６】
機能領域２３の位置は、機能アセンブリ６０により実行される機能と機能アセンブリ６０の位置とにしたがって変えられ得る。
【００３７】
図４に示されるように、機能アセンブリ６０は回路基板３０に接続される。機能アセンブリ６０は、センサユニット６１、第１の導光部品６２、及び、カメラ６３を含む。一実施形態では、センサユニット６１がツーインワン装置ではなく、センサユニット６１が発光部６１１と受光部６１２とを含む。
【００３８】
発光部６１１は、プローブ光を発するように構成される。発光部６１１は横方向に位置され、例えば、発光部６１１は、図で例示される方向に沿って右側に位置され、また、発光部６１１の発光面は右側を向く。
【００３９】
第１の導光部品６２は、発光部６１１とカメラ６３との間に位置され、プローブ光をカメラ６３へと導くように構成される。発光部６１１の発光面は、第１の導光部品６２の入光面の方を向く。第１の導光部品６２の発光面は、カメラ６３の発光面と平行である。第１の導光部品６２の発光面は、カメラ６３の下方に位置される。一実施形態では、第１の導光部品６２がカメラ６３の下方に位置される。
【００４０】
カメラ６３はレンズ６３１とベース６３２とを含み、ベース６３２の第１の端部が回路基板３０に接続され、ベース６３２の第２の端部がレンズ６３１に接続するように構成される。一実施形態では、レンズ６３１の右側壁がベース６３２の上端に接続され、また、ベース６３２の下端が回路基板３０に接続される。一実施形態では、レンズ６３１の左側壁がベース６３２の上端に接続され、ベース６３２の下端が回路基板３０に接続される。
【００４１】
一実施形態では、第１の導光部品６２が三角プリズムである。三角プリズムの発光面は、レンズ６３１の下方に位置される。三角プリズムの断面は直角三角形のような三角形形状である。直角を成す一方の辺は発光部６１１の方向を向き、直角を成す他方の辺はカメラ６３のレンズ６３１の方向を向く。一実施形態において、カメラ６３に面する三角プリズムの直角を成す辺は、カメラ６３のレンズ６３１から離間される。
【００４２】
図５に示されるように、一実施形態において、カメラ６３に面する三角プリズムの直角を成す辺は、カメラ６３のレンズに当接する。例えば、三角プリズムの直角を成す辺は、レンズ６３１の下端面に当接する。具体的な使用プロセスにおいて、三角プリズムは、発光部６１１により発せられるプローブ光をカメラ６３のレンズ６３１へ伝送するとともに、このプローブ光をカメラ６３のレンズ６３１を介して外部に伝送する。一実施形態において、三角プリズムは、発光部６１１により発せられる赤外線をカメラ６３へ伝送するとともに、この赤外線をカメラ６３を介して外部に伝送し、それにより、カバープレートの放出穴が省かれる。
【００４３】
図４又は図５に示されるように、受光部６１２の入光面（すなわち、受光面）はレンズ６３１の入光面に面し、受光部６１２はレンズ６３１の下方に位置される。受光部６１２は、縦方向に位置されるとともに、カメラ６３を通じて検出光を受光するように構成される。検出光は、障害物に対するプローブ光の反射によって形成される。一実施形態では、受光部６１２とレンズ６３１とが離間される。
【００４４】
一実施形態では、図６に示されるように、受光部６１２は、レンズにより良く接続するようにレンズ６３１の下端面に当接する。スクリーンの上方に障害物７０がある場合、プローブ光は障害物７０により反射されて検出光を形成し、また、プローブ光は、レンズ６３１を通過した後に受光部６１２へ伝送され、それにより、カバープレートの受光穴が省かれる。プローブ光の伝送方向が図中に矢印で示される。
【００４５】
一実施形態では、受光部６１２と発光部６１１とが離間され、受光部６１２と発光部６１１との間の間隔は６ｍｍ〜１４ｍｍである。
【００４６】
一実施形態では、図７に示されるように、センサユニット６１が周辺光センサ６１３を更に含む。周辺光センサ６１３と受光部６１２とが互いに隣接して設けられ、また、周辺光センサ６１３もレンズ６３１の下方に位置される。周辺光は、レンズ６３１を通過した後に周辺光センサ６１３に入射する。
【００４７】
図８に示されるように、一実施形態では、センサユニット６１がツーインワン装置である。図８は、受光部６１２も横方向に位置されるという点において図４とは異なっており、また、受光部６１２及び発光部６１１は、縦方向に沿って並置されるとともに、第１の導光部品６２の同じ側に位置される。一実施形態では、受光部６１２が発光部６１１の下方に配置される。一実施形態では、図９に示されるように、発光部６１１の上端がレンズ６３１の下端面に当接する。受光部６１２を発光部６１１の上方に位置させることもできることが理解され得る。一実施形態では、受光部６１２の上端がレンズ６３１の下端面に当接する。
【００４８】
第１の導光部品６２は、カメラ６３に入射するプローブ光を受光部６１２へと導くように更に構成される。第１の導光部品６２は、受光部６１２、発光部６１１、及び、カメラ６３の間に位置され、第１の導光部品６２の発光面はカメラ６３の発光面と平行であり、また、発光部６１１の発光面及び受光部６１２の入光面はいずれも第１の導光部品６２の入光面に面する。発光部６１１の発光面及び受光部６１２の入光面はいずれも右側に面しており、すなわち、両方とも第１の導光部品６２の左側に位置され、また、第１の導光部品６２の上端は、カメラ６３のレンズ６３１の下端に面する。
【００４９】
実際の使用プロセスでは、スクリーンの上方に障害物７０がある場合、プローブ光は障害物７０で反射されて検出光を形成し、また、検出光は、レンズ６３１を通過した後に第１の導光部品６２へと逆に伝送され、その後、第１の導光部品６２を介して受光部６１２に伝送される。
【００５０】
図１０に示されるように、一実施形態では、センサユニット６１が周辺光センサ６１３を更に含む。周辺光センサ６１３は受光部６１２及び発光部６１１と並置され、また、周辺光センサ６１３も第１の導光部品６２の左側に位置される。周辺光はレンズ６３１を通過した後に第１の導光部品６２に入射し、その後、第１の導光部品６２は周辺光を周辺光センサ６１３に伝送する。
【００５１】
図１１に示されるように、一実施形態において、図１１は、機能アセンブリ６０が第２の導光部品６４を更に含むという点において図４とは異なっており、また、第２の導光部品６４は、カメラ６３に入射する検出光を受光部６１２へと導くように構成される。第２の導光部品６４と受光部６１２とが並置され、また、第２の導光部品６４もレンズ６３１の下方に位置される。
【００５２】
第２の導光部品６４は、受光部６１２とカメラ６３との間に位置され、受光部６１２の入光面は、第２の導光部品６４の発光面に面し、また、第２の導光部品６４の入光面は、カメラ６３の発光面と平行である。第２の導光部品６４の入光面は、カメラ６３の下方に位置される。カメラ６３の発光面は、カメラ６３の入光面と平行である。
【００５３】
実際の使用プロセスでは、スクリーンの上方に障害物７０がある場合、プローブ光は障害物７０により反射されて検出光を形成し、また、検出光は、レンズ６３１を通過した後に第２の導光部品６４へと逆に伝送され、その後、第２の導光部品６４を介して受光部６１２に伝送される。
【００５４】
一実施形態では、第２の導光部品６４が三角プリズムである。三角プリズムの断面は直角三角形のような三角形形状である。直角を成す一方の辺は受光部６１２の方向を向き、直角を成す他方の辺はカメラ６３のレンズ６３１の方向を向く。具体的な使用プロセスにおいて、三角プリズムは、レンズ６３に入射する検出光を受光部６１２に伝送する。一実施形態において、三角プリズムは、レンズ６３に入射する赤外線を受光部６１２に伝送する。
【００５５】
図１２に示されるように、一実施形態において、第２の導光部品６４の上端は、カメラ６３のレンズ６３１の下端面に当接し、また、受光部６１２の上端もレンズ６３１の下端面に当接する。第１の導光部品６２の上端がカメラ６３のレンズ６３１の下端面に当接し、発光部６１１の上端もレンズ６３１の下端面に当接することが理解され得る。
【００５６】
本開示は、前述の表示スクリーン２０と前述の機能アセンブリ６０とを含む表示装置を更に提供する。表示スクリーン２０は機能領域２３を含み、また、カメラ６３は機能領域２３内に設けられる。一実施形態では、機能領域２３が穴であり、カメラ６３が穴内に設けられる。
【００５７】
一実施形態では、センサユニット６１と機能領域２３とが千鳥状に位置され、また、発光部６１１により発せられるプローブ光は、第１の導光部品６２を介して機能領域２３に伝送された後に放射される。
【００５８】
要約すると、本開示の実施形態で提供される機能アセンブリ、表示装置、及び端末では、カメラが機能穴を兼ね、それにより、機能領域のサイズが減少され、すなわち、非表示領域の面積が減少され、表示領域の面積が効果的に拡大され、そのため、大スクリーン表示の効果が実現される。
【００５９】
１つ以上の典型的な実施形態の理解を促すために、図面に示される典型的な実施形態が参照されるとともに、これらの実施形態を説明するために特定の用語が使用されてきた。しかしながら、発明概念の範囲の限定がこの特定の用語によって意図されず、また、典型的な実施形態は、当業者に一般に知られている全ての典型的な実施形態を包含するように解釈されるべきである。
【００６０】
「機構」、「要素」、「手段」、及び、「形態」という用語は、広義に使用されるとともに、機械的又は物理的な実施形態に限定されず、プロセッサなどと併せてソフトウェアルーチンを含むことができる。
【００６１】
本明細書中に示されて記載される特定の実施は、本開示の例示的な例であり、本開示の範囲を何ら別段に限定しようとするものではない。簡潔にするために、従来の電子機器、制御システム、ソフトウェア開発、及び、システムの他の機能的態様（及びシステムの個々の動作部品の構成要素）を詳細に説明することはできない。更に、与えられる様々な図に示される接続線又はコネクタは、様々な要素間の典型的な機能関係及び／又は物理的又は論理的な結合を表わすように意図される。実際の装置には多くの代替的又は付加的な機能関係、物理的接続、又は、論理的接続が存在し得ることに留意すべきである。更に、要素が「必須」又は「重要」として具体的に説明されていない限り、項目又は構成要素は本開示の実施に必須ではない。本明細書中で使用される「含む」、「有する」などの用語は、技術に関して包括的であることを意味する。
【００６２】
発明概念を説明する文脈における（特に以下の特許請求の範囲の文脈における）用語「１つの（ａ）」及び「１つの（ａｎ）」及び「その（ｔｈｅ）」の使用並びに同様の言及は、単数形及び複数形の両方を網羅するように解釈される。更に、本明細書中に列挙される値の範囲は、本明細書中に別段に示されなければ、速記法における範囲内に含まれる別個の値のそれぞれを指すように単に意図されているにすぎず、それぞれの別個の値は、あたかもそれが本明細書中に個々に列挙されたかのように本明細書中に組み入れられる。また、本明細書中に記載される全ての方法のステップは、本明細書中に別段に示唆され或いは別段に文脈と明らかに矛盾しなければ、任意の適した順序で実行され得る。発明概念は、ステップの説明された順序に限定されない。本明細書中で提供される任意の全ての例又は典型的な言語（例えば、「など」）の使用は、単に発明概念をより良く浮き彫りにしようとしているにすぎず、別段に主張されなければ発明概念の範囲の限定をもたらさない。思想及び範囲から逸脱することなく、多数の修正及び適応が当業者に容易に明らかとなる。
【００６３】
本明細書中に記載される典型的な実施形態が説明的な意味でのみ考慮されるべきであって限定の目的で使用されるべきではないことが理解されるべきである。それぞれの典型的な実施形態内の特徴又は態様の説明は、一般に、他の典型的な実施形態における他の類似の特徴又は態様に利用可能であると見なされるべきである。本開示を典型的な実施形態を用いて説明してきたが、様々な変更及び修正が当業者に示唆され得る。本開示が添付の特許請求の範囲内に入るような変更及び修正を包含することが意図される。
【図１】
0006786723.tif 000002
【図２】
0006786723.tif 000003
【図３】
0006786723.tif 000004
【図４】
0006786723.tif 000005
【図５】
0006786723.tif 000006
【図６】
0006786723.tif 000007
【図７】
0006786723.tif 000008
【図８】
0006786723.tif 000009
【図９】
0006786723.tif 000010
【図１０】
0006786723.tif 000011
【図１１】
0006786723.tif 000012
【図１２】
0006786723.tif 000013